(57)【要約】      （修正有）【課題】スーツケースの姿勢を変えなくても蓋体を開けるだけで小物を容易に取り出し可能なスーツケースを提供する。【解決手段】底面部にキャスター１２、２２が設けられ、上面部に取っ手１０，１１が設けられる箱体１と、箱体１に対して開閉自在に装着される蓋体２と、を備えたスーツケースであって、蓋体２を箱体１に対して開閉するために底辺側に設けられる第１ヒンジ部と、蓋体２を第１ヒンジ部の位置で着脱自在に接合するための第１スライドファスナー２０と、を備え、第１スライドファスナー２０の第１ファスナーラインの右辺側と左辺側は、側面から見ると、底面部側に行くほど手前側になるような傾斜したラインとして形成される。【選択図】図１
0003163137.tif 000002
【実用新案登録請求の範囲】
【請求項１】
底面部にキャスターが設けられ、上面部に取っ手が設けられる箱体と、
前記箱体に対して、全部もしくはその一部が開閉自在に装着される蓋体と、を備えたスーツケースであって、
前記蓋体を前記箱体に対して開閉するために底辺側に設けられる第１ヒンジ部と、
前記蓋体を前記第１ヒンジ部の位置で着脱自在に接合するための第１スライドファスナーと、を備え、
前記第１スライドファスナーの第１ファスナーラインの右辺側と左辺側は、側面から見ると、底面部側に行くほど手前側になるような傾斜したラインとして形成されることを特徴とするスーツケース。
【請求項２】
前記第１ヒンジ部の両側の底面側にも前記第１ファスナーラインが形成され、かつ当該ファスナーラインは、前記蓋体の正面側から視認可能な位置に形成されていることを特徴とする請求項１に記載のスーツケース。
【請求項３】
前記蓋体を開閉するために左辺側もしくは右辺側に設けられる第２ヒンジ部と、
前記蓋体を前記第２ヒンジ部の位置で着脱自在に接合するための第２スライドファスナーと、を備え、前記第２スライドファスナーは、前記第１スライドファスナーよりも奥側に位置していることを特徴とする請求項１又は２に記載のスーツケース。
【請求項４】
前記蓋体の開放角度を規制するための規制手段が設けられていることを特徴とする請求項１〜３のいずれか１項に記載のスーツケース。
【請求項５】
前記蓋体の底面部にもキャスターが設けられていることを特徴とする請求項１〜４のいずれか１項に記載のスーツケース。
【請求項６】
前記第１スライドファスナーと第２スライドファスナーで囲まれる内部空間に、小物を収容可能な小物収容部を設けたことを特徴とする請求項３に記載のスーツケース。
【請求項７】
前記傾斜したラインの傾斜角度は、４゜〜８゜であることを特徴とする請求項１〜６のいずれか１項に記載のスーツケース。
【考案の詳細な説明】
【技術分野】
【０００１】
本考案は、底面部にキャスターが設けられ、上面部に取っ手が設けられる箱体と、箱体に対して開閉自在に装着される蓋体と、を備えたスーツケースに関する。
【背景技術】
【０００２】
旅行用の大型鞄として用いられるスーツケースは、一般的に箱体と蓋体により構成されている。例えば、下記特許文献１に開示されるスーツケースでは、蓋体が箱体に対して横開きになるように構成されている。なお、本明細書において、横開きとは、図１０に示すように、蓋体１０１を箱体１００に対して開閉するためのヒンジ部１０２が左辺部（あるいは右辺部）に設けられている構造のことを指すものとする。
【先行技術文献】
【特許文献】
【０００３】
【特許文献１】特開２００９−１４８３２４号公報
【考案の概要】
【考案が解決しようとする課題】
【０００４】
しかしながら、旅先や出張先で小物（新聞、雑誌、パスポート等）を出す場合には、図１０（ａ）のように横開きにすると、関係ないものまで箱体１００から飛び出してしまい不便である。従って、わざわざ図１０（ｂ）に示すように、スーツケース全体を横に寝かした状態にする必要があった。
【０００５】
本考案は上記実情に鑑みてなされたものであり、その課題は、スーツケースの姿勢を変えなくても蓋体を開けるだけで小物を容易に取り出し可能なスーツケースを提供することである。
【課題を解決するための手段】
【０００６】
上記課題を解決するため本考案に係るスーツケースは、
底面部にキャスターが設けられ、上面部に取っ手が設けられる箱体と、
前記箱体に対して、全部もしくはその一部が開閉自在に装着される蓋体と、を備えたスーツケースであって、
前記蓋体を前記箱体に対して開閉するために底辺側に設けられる第１ヒンジ部と、
前記蓋体を前記ヒンジ部の位置で着脱自在に接合するための第１スライドファスナーと、を備え、
前記第１スライドファスナーの第１ファスナーラインの右辺側と左辺側は、側面から見ると、底面部側に行くほど手前側になるような傾斜したラインとして形成されることを特徴とするものである。
【０００７】
かかる構成によりスーツケースの作用・効果を説明する。このスーツケースは、箱体と蓋体により構成され、箱体の底面部にはキャスターが設けられ、箱体の上面部には取っ手が設けられている。取っ手を持ちながら、スーツケースを引いて移動させることができる。また、蓋体は底辺側に設けられる第１ヒンジ部を中心に開閉することができる。すなわち、蓋部は縦開きが可能である。縦開きとすることで、関係のないものを飛び出させないようにしながら、必要な小物を取り出すようにできる。この場合、スーツケースをわざわざ寝かせる必要はない。
【０００８】
また、蓋体を接合するための第１スライドファスナーのファスナーラインの右辺側と左辺側は、垂直なラインではなく、傾斜したラインとしている。この傾斜したラインは、箱体の側面視で底面部側に行くほど手前側になるように形成されている。従って、左右のラインが垂直に形成されている場合に比べて、手前側に内部が解放されるので、収納している小物等を取り出しやすくなる。従って、スーツケースの姿勢を変えなくても蓋体を開けるだけで小物を容易に取り出し可能なスーツケースを提供することができる。
【０００９】
なお、蓋体を箱体に対して開閉する場合、蓋体の全体が開閉してもよいし、蓋体の一部が開閉するように構成してもよい。いずれの態様も本考案の態様として含まれるものである。
【００１０】
本考案において、前記第１ヒンジ部の両側の底面側にも前記第１ファスナーラインが形成され、かつ当該ファスナーラインは、前記蓋体の正面側から視認可能な位置に形成されていることが好ましい。かかる構成にすることで、蓋体を第１ヒンジ部周りに回転しやすくすることができる。
【００１１】
本考案において、前記蓋体を開閉するために左辺側もしくは右辺側に設けられる第２ヒンジ部と、前記蓋体を前記第２ヒンジ部の位置で着脱自在に接合するための第２スライドファスナーと、を備え、前記第２スライドファスナーは、前記第１スライドファスナーよりも奥側に位置していることが好ましい。
【００１２】
かかる構成によれば、蓋体を縦開きするだけでなく、横開きすることもできる。第２ヒンジ部の位置は、第１ヒンジ部の位置よりも奥側にあるので、第２スライドファスナーは閉じたままにして、第１スライドファスナーのみを開けば、蓋体を縦開きすることができる。逆に、第１スライドファスナーは閉じたままにして、第２スライドファスナーのみを開けば、蓋体を横開きすることができる。もちろん、第１・第２スライドファスナーの両方を開けた状態にすることも可能である。これにより、スーツケースから取り出すべき内容物に応じて蓋体の開放態様を決めることができ、使い勝手を向上させることができる。
【００１３】
本考案において、前記蓋体の開放角度を規制するための規制手段が設けられていることが好ましい。
【００１４】
これにより、縦開きをするときに蓋体を所定の姿勢に保持することができ、不用意に内容物が飛び出してしまうことを抑制することができる。
【００１５】
本考案において、前記蓋体の底面部にもキャスターが設けられていることが好ましい。蓋体にもキャスターを設けることで、スーツケースを安定して保持・運搬することができる。また、蓋体を開いたときのスーツケースの姿勢も安定させることができる。
【００１６】
本考案において、前記第１スライドファスナーと第２スライドファスナーで囲まれる内部空間に、小物を収容可能な小物収容部を設けたことが好ましい。
【００１７】
かかる小物収容部を設けることで、小物を安定した状態で収容させることができ、取り出しも容易になる。特に、第１スライドファスナーと第２スライドファスナーで囲まれる内部空間に上記小物収容部を設けることで、蓋体を縦開きするだけで、容易に必要な小物を出し入れすることができる。
【００１８】
本考案において、前記傾斜したラインの傾斜角度は、４゜〜８゜であることが好ましい。蓋体を縦開きした時に内容物の取り出しやすさを改善するには、上記のように４゜以上にすることが好ましい。また、あまり角度を大きくしすぎると、スーツケース自体が大きくなりすぎ、運搬性や保管性に支障が生じる。従って、上記の角度範囲になるように設定することが好ましい。
【図面の簡単な説明】
【００１９】
【図１】本実施形態に係るスーツケースの外観構成を示す右側からみた斜視図
【図２】本実施形態に係るスーツケースの外観構成を示す左側からみた斜視図
【図３】本実施形態に係るスーツケースの外観構成を示す正面図
【図４】本実施形態に係るスーツケースの外観構成を示す右側面図
【図５】本実施形態に係るスーツケースの外観構成を示す左側面図
【図６】ファスナーラインを概念的に示す図
【図７】蓋体を縦開きした状態を示す外観斜視図
【図８】蓋体を縦開きした状態を示す外観斜視図
【図９】蓋体を横開きした状態を示す外観斜視図
【図１０】従来技術に係るスーツケースの構成を示す図
【考案を実施するための形態】
【００２０】
本考案に係るスーツケースの好適な実施形態を図面を用いて説明する。図１は、本実施形態に係るスーツケースの外観構成を示す右側からみた斜視図である。図２は、同じく左側から見た斜視図である。図３は、本実施形態に係るスーツケースの正面図である。なお、方向の定義として、図３のようにスーツケースを載置した時に、ｘｙｚ座標を図示ように設定し、ｘ（＋）方向を右側、ｘ（−）方向を左側、ｙ（＋）方向を上面側、ｙ（−）方向を底面側、ｚ（＋）方向を手前側、ｚ（−）方向を奥側とする。
【００２１】
＜スーツケースの外観構成＞
図１，２等に示すように、スーツケースは、箱体１と蓋体２により構成される。箱体１と蓋体２は、いずれもハードケース（硬質プラスチック製）により形成される。スーツケースは、その全体形状が、ほぼ直方体状となっている。箱体１の内部には、種々の収容物を収容するための空間部が形成されている。
【００２２】
箱体１の上面部には、第１取っ手１０と第２取っ手１１が設けられている。第１取っ手１０は、湾曲状の取っ手部分を備えている。また、第２取っ手１１は、伸縮機構１１ａが設けられており、上面部からの突出長さを適宜調整することができる。
【００２３】
箱体１の底面部には左右２つのキャスター１２が設けられており、蓋体２の底面部にも左右２つのキャスター２２が設けられている。すなわち、合計で４つのキャスター１２，２２が設けられる。蓋体２の底面部にもキャスター２２を設けることで、蓋体２を開放した時も、安定した状態でスーツケース全体を支持することができる。
【００２４】
蓋体２は、その全体もしくは一部が、箱体１に対して開閉することができ、そのために第１スライドファスナー２０と、第２スライドファスナー２１が設けられている。第１スライドファスナー２０は、蓋体２を縦開きするためのものであり、第２スライドファスナー２１は、蓋体２を横開きするためのものである。図からもわかるように、第１スライドファスナー２０よりも第２スライドファスナー２１のほうが奥側に位置している。第１・第２スライドファスナー２０，２１は、いずれも金属ファスナーである。
【００２５】
図３に示すように、縦開きのための第１ヒンジ部２０ａは、底辺側に設けられている。第１スライドファスナー２０を構成するファスナーライン２０Ｌは、第１ヒンジ部２０ａの左右両側から形成されている。図６は、ファスナーラインのみを取り出して示す図であり、（ａ）が第１ファスナーライン２０Ｌ、（ｂ）が第２ファスナーライン２１Ｌを示す。
【００２６】
図６（ａ）に示すように、第１ファスナーライン２０Ｌは、底辺ライン２０ｂ、右辺ライン２０ｃ、左辺ライン２０ｄ、上辺ライン２０ｅにより構成される。第１ファスナーライン２０Ｌと第１ヒンジ部２０ａにより、矩形状のラインが形成される。
【００２７】
底辺ライン２０ｂと右辺・左辺ライン２０ｃ，２０ｄの角部、右辺・左辺ライン２０ｃ，２０ｄと上辺２０ｅの角部は、それぞれＲ形状でラインが連結されている。また、第１ファスナーライン２０Ｌの一部は、手前側からも視認できる位置に形成される。すなわち、図６（ａ）に示すように、Ａで示す範囲は、手前側から視認することができる。Ａで示す範囲とは、左右の底辺ライン２０ｂ、右辺ライン２０ｃ及び左辺ライン２０ｄの底面側の範囲である。また、第１ヒンジ部２０ａも手前側から視認することができる。
【００２８】
図６（ｂ）に示すように、横開きのための第２ヒンジ部２１ａは、左辺側に設けられている。第２スライドファスナー２１を構成する第２ファスナーライン２１Ｌは、第２ヒンジ部２１ａの上下両側から形成されている。
【００２９】
図６（ｂ）に示すように、第２ファスナーライン２１Ｌは、左辺ライン２１ｂ、上辺ライン２１ｃ、底辺ライン２１ｄ、右辺ライン２１ｅにより構成される。第２ファスナーライン２１Ｌと第２ヒンジ部２１ａにより、矩形状のラインが形成される。
【００３０】
左辺ライン２１ｂと上辺・底辺ライン２１ｃ，２１ｄの角部、上辺・底辺ライン２１ｃ，２１ｄと右辺２１ｅの角部には、それぞれＲ形状でラインが連結されている。第２ファスナーライン２１Ｌは、第１ファスナーライン２０Ｌよりも奥側にあり、手前側から直接的には見えない。
【００３１】
図４は、スーツケースを右側面から見た外観を示す。図５は、同じく左側面から見た外観を示す。第２ファスナーライン２１Ｌの左辺・右辺ラインは、垂直に形成される。一方、第１ファスナーライン２０Ｌの左辺・右辺ラインは、傾斜したラインとして形成される。左辺・右辺ラインの傾斜の度合いは、底面部側にいくほど手前側になるように傾斜させている。
【００３２】
図４からもわかるように、第１ヒンジ部２０ａは、手前側から見える位置（底面部よりも少し高い位置）に配置したほうが、キャスター２２の配置空間を確保しやすくなる。また、上記傾斜ラインを設けることで、蓋体２の前面部２ａを大きく開くことができ、スーツケースの内部空間をより大きく開放することができる。これにより、内部に収容している小物等を取り出しやすくなる。
【００３３】
傾斜ラインの垂直線に対する傾斜角度をθ（図４，５参照）とすると、θ＝４゜〜８゜の範囲に設定することが好ましい。仮にθ＜４゜の場合、蓋体２の前面部２ａを大きく開くことが難しくなる。また、θ＞８゜の場合、前後方向のスーツケースのサイズが大きくなりすぎ、携帯性を損ねる可能性がある。図に示す実施形態では、θ＝５゜に設定されている。
【００３４】
図４に示すように、箱体１の右側面部には、ロック機構３が設けられる。第２スライドファスナー２１には、２つのスライダー２１ｆが設けられており、ロック機構３の係合溝３ａにスライダー２１ｆを挿入することでロックがかかる。解除ボタン３ｂを押すことで、スライダー２１ｆのロック状態を解除することができる。ロックを解除できないように、鍵を掛けるための鍵穴部３ｃが設けられている。
【００３５】
第１スライドファスナー２０にも、２つのスライダー２０ｆが設けられている（図２参照）。これらスライダー２０ｆには、錠前用穴２０ｇが形成されている。２つのスライダー２０ｆをたがいに近接させると、それぞれの錠前用穴２０ｇを重ね合わせて１つの穴にすることができ、その穴に錠前を通すことで、第１スライドファスナー２０が開かないようにロックすることができる。
【００３６】
＜作用＞
次に、本考案に係るスーツケースの作用について説明する。図７は、第１スライドファスナー２０を開いて、蓋体２の一部（前面部２ａ）を縦開きした状態を示す外観斜視図である。第１スライドファスナー２０を開けると、第１ヒンジ部２０ａ周りに前部２ａが手前側に倒れる。これにより、内部空間を開放することができる。
【００３７】
ここで、前部２ａの開放角度を規制するための規制ベルト４，５（規制手段に相当）が左右に設けられている。これにより、必要以上に前部２ａが開くことを防止することができる。規制ベルト４，５には、周知の連結機構４ａ，５ａが設けられており、ベルト部分を切り離すことができる。これにより、前部２ａを大きく開くことができる。また、連結機構４ａ，５ａは、ベルト長さを調整する機能も備えている。
【００３８】
さらに、蓋体２の後部２ｂの内部空間には、小物収容部６が配置されている。小物収容部６は、第１スライドファスナー２０と第２スライドファスナー２１の間の内部空間に配置される。小物収容部６は、２本の吊り下げベルト７により、蓋体２内部に支持されている。この吊り下げベルト７も連結機構７ａを備えており、小物収容部６を取り外すことができる。また、連結機構７は、ベルト長さを調整する機能も備えている。
【００３９】
小物収容部６は、上下の収容袋６ａ，６ｂを備えており、それぞれ、スライドファスナー６ｃ，６ｄにより開閉することができる。この小物収容部６を利用して、パスポート、手帳、ノート、本などの小物を収納することができる。
【００４０】
図８は、図７と同様に縦開きした状態を奥側から見た外観斜視図である。蓋体２の前面部２ａの内側にも小物収容部８が設けられている。ノート、雑誌等の小物を収容することができる。
【００４１】
図９は、第２スライドファスナー２１のみを開いた状態、すなわち、蓋体２を横開きした状態を示す外観斜視図である。第２スライドファスナー２１を開くことで、蓋体２は第２ヒンジ部２１ａを中心に回転させることができる。
【００４２】
＜作用・効果＞
本考案に係るスーツケースによれば、縦開きにより蓋体２を開閉することができ、小物を取り出す場合、スーツケースを寝かせることなく、立てた姿勢のまま、蓋体２を開放させればよい。その場合、蓋体２の開放角度を規制ベルト４，５により規制しているので、不用意に内容物が飛び出すなどの不具合が生じることがない。
【００４３】
また、第１ファスナーライン２０Ｌの右辺側と左辺側は、垂直なラインではなく、傾斜したラインとしている。この傾斜したラインは、図４、図５で説明したように、箱体１の側面視で底面部側に行くほど手前側になるように形成されている。従って、左右のラインが垂直に形成されている場合に比べて、手前側に内部が解放されるので、収納している小物等を取り出しやすくなる。
【００４４】
＜別実施形態＞
本考案において、第１スライドファスナー２０と第２スライドファスナー２１の両方を設けているが、縦開き用の第１スライドファスナー２０のみで構成してもよい。本実施形態では、第１取っ手１０と第２取っ手１１の２つが設けられているが、いずれか１つのみでもよい。蓋体２の底面部にもキャスター２２が設けられているが、設けなくてもよい。
【符号の説明】
【００４５】
１        箱体
２        蓋体
２ａ      前面部
２ｂ      後部
１０      第１取っ手
１１      第２取っ手
１２      キャスター
２０      第１スライドファスナー
２０ａ    第１ヒンジ部
２０Ｌ    第１ファスナーライン
２１      第２スライドファスナー
２１ａ    第２ヒンジ部
２１Ｌ    第２ファスナーライン
２２      キャスター
【図１】
0003163137.tif 000003
【図２】
0003163137.tif 000004
【図３】
0003163137.tif 000005
【図４】
0003163137.tif 000006
【図５】
0003163137.tif 000007
【図６】
0003163137.tif 000008
【図７】
0003163137.tif 000009
【図８】
0003163137.tif 000010
【図９】
0003163137.tif 000011
【図１０】
0003163137.tif 000012